(57)【特許請求の範囲】
【請求項１】
操作部の内容物噴射操作によりステム側弁作用部が「開」に設定された状態で、外部空間域への操作部側弁作用部の間欠的な開閉動作を繰り返すパルス噴射機構において、
前記操作部側弁作用部は、
第一の弾性部材を介して配設された第一の弁部材と、
前記第一の弁部材の外側に第二の弾性部材を介して配設され、前記第一の弁部材との間で前記開閉作用を呈する第二の弁部材と、からなり、
前記第一の弁部材との係合部分を有し、前記ステム側弁作用部から前記操作部側弁作用部までの内容物通過用の連通空間域の下流側を、前記第一の弁部材および前記第二の弁部材とともに設定する連通空間域画定部を備え、
内容物噴射操作の解除にともなって操作前の静止モードへ復帰するとき、前記連通空間域の内圧に基づいて前記係合部分が前記第一の弁部材と係合した上でこれを移動させることにより、前記操作部側弁作用部が、前記第一の弁部材，前記第二の弁部材および前記連通空間域画定部の協働作用で「開」に設定される、
ことを特徴とするパルス噴射機構。
【請求項２】
操作部の内容物噴射操作によりステム側弁作用部が「開」に設定された状態で、外部空間域への操作部側弁作用部の間欠的な開閉動作を繰り返すパルス噴射機構において、
前記操作部側弁作用部は、
第一の弾性部材を介して配設された第一の弁部材と、
前記第一の弁部材の外側に第二の弾性部材を介して配設され、前記第一の弁部材との間で前記開閉作用を呈する第二の弁部材と、からなり、
前記第一の弁部材との係合部分を有し、前記ステム側弁作用部から前記操作部側弁作用部までの内容物通過用の連通空間域の下流側を、前記第一の弁部材および前記第二の弁部材とともに設定する連通空間域画定部を備え、
内容物噴射操作の解除にともなって操作前の静止モードへ復帰するとき、前記連通空間域の内圧に基づいて、前記係合部分が前記第一の弁部材と係合してこれを停止させることにより、前記操作部側弁作用部が、前記第一の弁部材，前記第二の弁部材および前記連通空間域画定部の協働作用で「開」に設定される、
ことを特徴とするパルス噴射機構。
【請求項３】
前記第一の弁部材，前記第二の弁部材および前記連通空間域画定部は、
前記操作部の中にユニット構造の形で設けられている、
ことを特徴とする請求項１または２記載のパルス噴射機構。
【請求項４】
前記操作部は、
放出対象内容物流入用のステムに取り付けられたステムジョイントに対して上下方向および周回方向へそれぞれ移動可能であり、
前記周回方向への回動操作によって、前記ステムジョイントと上下方向に係合せずに相対的な上下動を許容するパルス噴射の状態と、前記ステムジョイントと上下方向に係合して一体化した連続噴射の状態とに選択される、
ことを特徴とする請求項１乃至３のいずれかに記載のパルス噴射機構。
【請求項５】
請求項１乃至４のいずれかに記載のパルス噴射機構を備え、かつ、噴射剤および放出対象内容物を収容した、
ことを特徴とするエアゾール式製品。
【発明の詳細な説明】
【技術分野】
【０００１】
本発明は、操作部の内容物噴射操作によりステム側弁作用部が「開」に設定された状態で、外部空間域への操作部側弁作用部（後述のボタン側弁作用部）の間欠的な開閉動作を繰り返すパルス噴射機構に関する。
【０００２】
特に、内容物噴射操作の解除によりパルス噴射機構が静止モードへ復帰するとき、閉状態に移行してしまうパルス噴射用の操作部側弁作用部を、中間通路空間域の内圧作用で開状態に強制シフトさせるパルス噴射機構に関する。中間通路空間域はステム側弁作用部から操作部側弁作用部までの連通空間域である。
【０００３】
また、パルス噴射機構の操作部側をエアゾール容器本体に対して回動操作することにより、パルス噴射に代えて連続噴射を実現することもできる。
【０００４】
連続噴射では、内容物噴射操作の開始直後から、操作部側と、エアゾール容器本体側のステムジョイントとが例えば下方向に連動してステム側弁作用部を「開」に設定する。
【０００５】
パルス噴射では、内容物噴射操作開始にともない、先ず静止モード位置のステムおよびステムジョイントに対して操作部側が移動した後、ステムは、操作部側とともにステム側弁作用部の「開」位置まで移動する。この「開」位置において、操作部側弁作用部は間欠的な開閉動作へシフトする。
【０００６】
本明細書では、外部空間域に噴射される内容物の噴射孔部の側（図１〜図１０の左側）を「前」、その反対側（図１〜図１０の右側）を「後」と記す。また、各図の上下方向を「縦」、これと略直交する任意の方向を「横」とする。
【背景技術】
【０００７】
従来、操作部の内容物噴射操作によりステム側弁作用部が「開」に設定された状態で、外部空間域への操作部側弁作用部（後述のボタン側弁作用部）の間欠的な開閉動作を繰り返すパルス噴射機構は提案されている（特許文献１）。
【先行技術文献】
【特許文献】
【０００８】
【特許文献１】特開２０１１−１３９９９４号公報
【発明の概要】
【発明が解決しようとする課題】
【０００９】
この従来のパルス噴射機構では、内容物噴射操作の解除の際に操作部側弁作用部の近くの通路域などの残留内容物を確実に噴射するための圧力調整装置を設けている。
【００１０】
すなわち、この圧力調整装置からのいわば付加圧力の助けをかりることにより、内容物噴射操作の解除にともなう残留内容物を外部空間域に確実に噴射し、操作部側弁作用部が安定的に閉じるようにしている。
【００１１】
本発明は、これとは違った新たな着眼に基づくものであり、内容物噴射操作の解除により操作部側弁作用部（後述のシール弁，移動弁の弁作用外周面，弁作用内周面）が静止モード位置へ復帰する際に、これを強制的に「開」状態へ設定している。
【００１２】
本発明は、この「開」状態の強制設定により、ステム側弁作用部から操作部側弁作用部までの中間通路空間域における残留対象内容物の外部空間域流出の効率化を図り、かつ、中間通路空間域での内圧減少化を図ることを目的とする。
【００１３】
また、パルス噴射機構の操作部側をエアゾール容器本体に対して回動操作するとパルス噴射に代わる連続噴射態様を実現できる。
【００１４】
本発明は、この連続噴射態様の実現により、エアゾール式製品としての多機能化，利便化を図ることを目的とする。
【００１５】
また、操作部側弁作用部を構成する第一，第二の弁部材、およびこの操作部側弁作用部の「開」状態を強制設定する連通空間域画定部を、操作部の中にユニット構造で設けている。
【００１６】
本発明は、この操作部でのユニット構造により、生産管理や製品管理での取り扱いの簡単化を図ることを目的とする。
【課題を解決するための手段】
【００１７】
本発明は、以上の課題を次のようにして解決する。
（１）操作部（例えば後述の横型のボタン本体１１，縦型のボタン本体２１）の内容物噴射操作によりステム側弁作用部（例えば後述のステム側弁作用部Ｂ）が「開」に設定された状態で、外部空間域への操作部側弁作用部（例えば後述のボタン側弁作用部Ａ）の間欠的な開閉動作を繰り返すパルス噴射機構において、
前記操作部側弁作用部は、
第一の弾性部材（例えば後述の内側コイルスプリング５）を介して配設された第一の弁部材（例えば後述のシール弁１４，２４）と、
前記第一の弁部材の外側に第二の弾性部材（例えば後述の外側コイルスプリング６）を介して配設され、前記第一の弁部材との間で前記開閉動作を繰り返す第二の弁部材（例えば後述の移動弁１５，２５）と、からなり、
前記第一の弁部材との係合部分（例えば後述の前内側環凸状部１３ｄ）を有し、前記ステム側弁作用部から前記操作部側弁作用部までの内容物通過用の連通空間域（例えば後述の中間通路空間域Ｃ）の下流側を、前記第一の弁部材および前記第二の弁部材とともに設定する連通空間域画定部（例えば後述の減圧弁１３，下内側円筒状部２６ａ，逆スカート状部２６ｅ）を備え、
内容物噴射操作の解除にともなって操作前の静止モードへ復帰するとき、前記連通空間域の内圧に基づいて、前記係合部分が前記第一の弁部材と係合した上でこれを移動させることにより、前記操作部側弁作用部が、前記第一の弁部材，前記第二の弁部材および前記連通空間域画定部の協働作用で「開」に設定される、
構成態様のものを用いる。
（２）操作部（例えば後述の横型のボタン本体１１，縦型のボタン本体２１）の内容物噴射操作によりステム側弁作用部（例えば後述のステム側弁作用部Ｂ）が「開」に設定された状態で、外部空間域への操作部側弁作用部（例えば後述のボタン側弁作用部Ａ）の間欠的な開閉動作を繰り返すパルス噴射機構において、
前記操作部側弁作用部は、
第一の弾性部材（例えば後述の内側コイルスプリング５）を介して配設された第一の弁部材（例えば後述のシール弁１４，２４）と、
前記第一の弁部材の外側に第二の弾性部材（例えば後述の外側コイルスプリング６）を介して配設され、前記第一の弁部材との間で前記開閉動作を繰り返す第二の弁部材（例えば後述の移動弁１５，２５）と、からなり、
前記第一の弁部材との係合部分（例えば後述の上端内側環凸状部２６ｂ）を有し、前記ステム側弁作用部から前記操作部側弁作用部までの内容物通過用の連通空間域（例えば後述の中間通路空間域Ｃ）の下流側を、前記第一の弁部材および前記第二の弁部材とともに設定する連通空間域画定部（例えば後述の減圧弁１３，下内側円筒状部２６ａ，逆スカート状部２６ｅ）を備え、
内容物噴射操作の解除にともなって操作前の静止モードへ復帰するとき、前記連通空間域の内圧に基づいて、前記係合部分が前記第一の弁部材と係合してこれを停止させることにより、前記操作部側弁作用部が、前記第一の弁部材，前記第二の弁部材および前記連通空間域画定部の協働作用で「開」に設定される、
構成態様のものを用いる。
（３）上記（１），（２）において、
前記第一の弁部材，前記第二の弁部材および前記連通空間域画定部は、
前記操作部の中にユニット構造の形で設けられた、
構成態様のものを用いる。
（４）上記（１）〜（３）において、
前記操作部は、
放出対象内容物流入用のステム（例えば後述のステム１）に取り付けられたステムジョイント（例えば後述のステムジョイント１７，２６）に対して上下方向および周回方向へそれぞれ移動可能であり、
前記周回方向への回動操作によって、前記ステムジョイントと上下方向に係合せずに相対的な上下動を許容するパルス噴射の状態と、前記ステムジョイントと上下方向に係合して一体化した連続噴射の状態とに選択される、
構成態様のものを用いる。
【００１８】
このような構成からなるパルス噴射機構および当該パルス噴射機構を備えたエアゾール式製品を本発明の対象としている。
【００１９】
なお、本発明のパルス噴射機構は、エアゾール式製品の噴射剤として液ガスおよび圧縮ガスの何れを用いる場合にも適用できる。
【発明の効果】
【００２０】
本発明は以上の課題解決手段により、
(11)ステム側弁作用部から操作部側弁作用部までの中間通路空間域における残留対象内容物の外部空間域流出の効率化を図り、かつ、中間通路空間域での内圧減少化を図ることができ、
(12)エアゾール式製品としての多機能化，利便化を図ることができ、
(13)生産管理や製品管理での取り扱いの簡単化を図ることができる、
といった効果を奏している。
【図面の簡単な説明】
【００２１】
【図１】横型のパルス・連続噴射機構のパルス噴射態様における、ボタン本体１１の押下げ操作前で、ボタン側弁作用部Ａが「開」状態，ステム側弁作用部Ｂが「閉」状態のパルス噴射静止モードを示す説明図である。
【図２】図１のボタン本体１１に対する押下げ操作初期段階、すなわちステム１などが図１のまま下動せずにボタン本体１１側のみがこの静止位置のステムジョイント１７に対して略最大限下動した段階で、ボタン側弁作用部Ａが「閉」状態にシフトする一方、ステム側弁作用部Ｂは図１の「閉」状態に維持されたままのパルス噴射対応の押下げ操作初期段階を示す説明図である。
【図３】図２に続く押下げ操作にともない、ボタン本体１１と、ステム１およびステムジョイント１７との全体が一体化した状態でエアゾール容器本体２に対して下動し、その結果、ステム側弁作用部Ｂが「開」状態に移行して中間通路空間域Ｃの内圧が高まり、この内圧の高まりにともなうシール弁１４および移動弁１５それぞれの相対移動によりボタン側弁作用部Ａが「開」状態にシフトした、パルス噴射作動モードの間欠噴射状態を示す説明図である。
【図４】図３のパルス噴射にともないボタン側弁作用部Ａの直上流部分（中間通路空間域Ｃの一部）の内圧が減少してこれよりも内側コイルスプリング５および外側コイルスプリング６の弾性力が勝ることにより、シール弁１４および移動弁１５が後方に復帰する状態を示す説明図である。
【図５】図４に続き、シール弁１４および移動弁１５がそれぞれ減圧弁１３に当接して停止し、ボタン側弁作用部Ａが「閉」状態にシフトした噴射停止状態（この後、シール弁１４および移動弁１５は中間通路空間域Ｃの内圧作用により図３のパルス噴射状態に戻る）を示す説明図である。
【図６】図１と同じ横型のパルス・連続噴射機構の連続噴射静止モード（図１のパルス噴射静止モードとはボタン本体１１とステムジョイント１７との周方向位置関係が異なるのみ）を示す説明図である。
【図７】図６のパルス・連続噴射機構の連続噴射作動モードを示す説明図である。
【図８】縦型のパルス・連続噴射機構のパルス噴射態様における、ボタン本体２１の押下げ操作前で、ボタン側弁作用部Ａが「開」状態，ステム側弁作用部Ｂが「閉」状態のパルス噴射静止モードを示す説明図である。
【図９】図８のボタン本体１１に対する押下げ操作初期段階、すなわちステム１などが図８のまま下動せずにボタン本体２１側のみがこの静止位置のステムジョイント２６に対して最大限下動した段階で、ボタン側弁作用部Ａが「閉」状態にシフトする一方、ステム側弁作用部Ｂは図８の「閉」状態に維持されたままのパルス噴射対応の押下げ操作初期段階を示す説明図である。
【図１０】図８と同じ縦型のパルス・連続噴射機構の連続噴射静止モード（図８のパルス噴射静止モードとはボタン本体２１とステムジョイント２６との周方向位置関係が異なるのみ）を示す説明図である。
【発明を実施するための形態】
【００２２】
図１〜図１０を用いて本発明を実施するための形態を説明する。
図１〜図７は横型のボタン本体を用いたパルス・連続噴射機構を示し、図８〜図１０は縦型のボタン本体を用いたパルス・連続噴射機構を示している。
【００２３】
また、図１〜図５，図８および図９はパルス噴射の静止・作動モードを示し、残りの図６，図７および図１０は連続噴射の静止・作動モードを示している。
【００２４】
本明細書および図面で用いる参照番号につき、原則として、アルファベット付き参照番号の構成要素（例えば大径本体部１１ａ）は当該参照番号の数字部分の構成要素（例えばボタン本体１１）の一部であることを示している。
【００２５】
図１〜図１０に関して、
(21)「Ａ〜Ｆ，１〜６」の参照番号は「図１〜図１０」で用い、
(22)「１１〜１７」の参照番号およびそのアルファベット付きは「図１〜図７」の横型ボタン本体の場合を対象とし、
(23)「２１〜２６」の参照番号およびそのアルファベット付きは「図８〜図１０」の縦型ボタン本体の場合を対象とする。
【００２６】
図１〜図１０において、
Ａは後述のシール弁１４，２４の弁作用外周面１４ｄ，２４ｃおよび後述の移動弁１５，２５の弁作用内周面１５ｃ，２５ｃからなる、パルス噴射用のボタン側弁作用部（請求項の操作部側弁作用部に相当），
Ｂは後述のステム１に設けられた周知のステム側弁作用部（例えば内容物通過用のステム孔部＋ステム孔部開閉用のステムラバー），
Ｃはステム側弁作用部Ｂからボタン側弁作用部Ａまでの連通状態の内容物噴射用通路域、すなわちステム側弁作用部Ｂの下流側でかつボタン側弁作用部Ａの上流側に相当する内容物噴射用の中間通路空間域（請求項の連通空間域に相当），
Ｄはパルス噴射の作動モードにおける噴射内容物の流れ経路，
Ｅはパルス噴射の作動モードから初期モードへの復帰にともなう後述のシール弁１４に対する、ボタン側弁作用部Ａの開状態設定用の後方への強制シフト方向（図１参照）
Ｆはパルス噴射の作動モードから初期モードへの復帰にともなう後述の移動弁２５に対する、ボタン側弁作用部Ａの開状態設定用の上方への強制シフト方向（図８参照）
をそれぞれ示している。
【００２７】
また、図１〜図１０において、
１は上端部分が後述の下側円筒状部１７ｃの内部に嵌合して後述のボタン本体１１，２１の押下げ操作にともない周知のステムガスケット（図示省略）との間のバルブ開作用を呈し、これにより内部通路を容器本体側の噴射対象内容物が通過するステム，
２は後述の噴射ガスおよび噴射対象内容物が収容されたエアゾール容器本体，
３はステム１やこれを上方向に付勢する周知のコイルスプリングなどが配設され、噴射対象内容物収容域としても作用するハウジング，
４はエアゾール容器本体２の開口側周縁部に取り付けられてハウジング３を保持するマウンティングカップ，
５は後述のシール弁１４，２４の外周面段部と、後述のカバー体１６の内周面段部または上シリンダ２２の環状横平面２２ａとの間に配設されて、当該シール弁を保持し、かつ後方（図１〜図７）または下方（図８〜図１０）に付勢する内側コイルスプリング（請求項の第一の弾性部材に相当），
６は内側コイルスプリング５よりも強い弾性作用を呈し、後述の移動弁１５，２５の環凹状部１５ｅ，２５ｅと、後述のカバー体１６の環溝状部１６ｄまたは上シリンダ２２の環溝状部２２ｄとの間に配設されて、当該移動弁を後方（図１〜図７）または下方（図８〜図１０）に付勢する外側コイルスプリング（請求項の第二の弾性部材に相当），
をそれぞれ示している。
【００２８】
図１〜図７において、
１１は内容物噴射操作用の押下げタイプで横型のボタン本体（請求項の操作部に相当），
１１ａはボタン本体１１の下流側前後方向に形成されて後述のシリンダ１２が取り付けられる円筒状で前開口・後底面の大径本体部，
１１ｂは大径本体部１１ａの後底面部分に形成されて後述の小径後筒状部１２ｂを嵌合保持する円筒状の小径本体部，
１１ｃは大径本体部１１ａの内周面前端側に形成されて後述の前周回凸状部１２ｄと嵌合する前周回凹状部，
１１ｄは小径本体部１１ｂの内周面に形成されて後述の後周回凸状部１２ｆと嵌合する後周回凹状部，
１１ｅは小径本体部１１ｂのいわば底面中心部分に形成されて後述の凸状倣い部１３ａが前後方向に貫通する後貫通部，
１１ｆは大径本体部１１ａの後端側下周面部分に形成された内容物通過用の縦孔部，
１１ｇはボタン本体１１を下方から見上げたときに縦孔部１１ｆを取り囲む形で配設されて、後述の縦逆スカート状部１７ａと密接しながらその上下動を案内する内環状垂下部，
１１ｈはボタン本体１１の下側部分を構成し、後述のステムジョイント１７との間で周方向および上下方向へ相対移動しえる外環状垂下部，
１１ｊは大径本体部１１ａをその前開口側からみたときの仮想的な左右対称中心面（上下方向垂直面）の一部に、外環状垂下部１１ｈの内周面上端側から内方へ当該大径本体部の外周面まで連続形成されて、その下端面が、パルス噴射静止モード（図１参照）では後述の縦切欠状部１７ｆと対向し、連続噴射モード（図６参照）では後述の周回方向起立部１７ｅの上端面と当接する周方向等間隔の計三個の垂下片部，
１１ｋは外環状垂下部１１ｈの上端側内周面の垂下片部１１ｊとは別の部分に形成されてボタン本体１１の押下げ操作初期に後述のステムジョイント１７の周回方向起立部１７ｅの上端面と当接する下向きの周方向段部，
１１ｍは外環状垂下部１１ｈの下端側内周面に形成されて後述の連続噴射静止・作動モードおよびパルス噴射静止モードにおける円板状部１７ｄの下面外縁部分と係合する下周回凸状部，
１１ｎは小径本体部１１ｂの底面部分より後側に配設された内部空間域であって、後述の凸状倣い部１３ａの後端側が突出し、かつ後述の起立柱状部１７ｇが収容される後内部空間域，
をそれぞれ示している。
【００２９】
また、図１〜図７において、
１２は大径本体部１１ａおよび小径本体部１１ｂのそれぞれに外周面が嵌合するシリンダ，
１２ａはシリンダ１２の前部分を構成して大径本体部１１ａの内周面に嵌合保持される大径前筒状部，
１２ｂはシリンダ１２の後部分を構成して小径本体部１１ｂの内周面に嵌合保持される小径後筒状部，
１２ｃは大径前筒状部１２ａと小径後筒状部１２ｂとのいわば連結部分に相当する環状段部，
１２ｄは大径前筒状部１２ａの前端側外周面に形成されて大径本体部１１ａの前周回凹状部１１ｃと嵌合する前周回凸状部，
１２ｅは環状段部１２ｃに形成された内容物通過用の横孔部，
１２ｆは小径後筒状部１２ｂの後端側外周面に形成されて後周回凹状部１１ｄと嵌合する後周回凸状部，
１２ｇは小径後筒状部１２ｂの後端内面部分からなる環状縦底面，
１２ｈは環状縦底面１２ｇの中央部分であって後貫通部１１ｅと同じ形状からなり、後述の凸状倣い部１３ａが前後方向に貫通する前貫通部，
１２ｊは小径後筒状部１２ｂの前端面部分に周方向飛び飛びの状態で例えば計三個形成された内容物通過用の径方向溝状部，
をそれぞれ示している。
【００３０】
図１〜図７において、また、
１３は小径後筒状部１２ｂの内部空間域に配設された本発明の新たな構成要素であって、内容物噴射操作の解除後にボタン本体１１および後述のステムジョイント１７などが静止モード位置に復帰する際、後述のシール弁１４を後方へ駆動して後述の移動弁１５との間のボタン側弁作用部Ａを開状態にいわば強制設定し、これによりステム側弁作用部Ｂが閉じた後のステム出力側から当該弁作用部までの内容物通過域の内圧を外部空間域に逃がすための減圧弁（請求項の連通空間域画定部に相当），
１３ａは減圧弁１３の後側の突出部分であって、前貫通部１２ｈおよび後貫通部１１ｅを介して後述のテーパカム面１７ｈに案内される凸状倣い部，
１３ｂは減圧弁１３の前外側部分であって、シリンダ１２の小径後筒状部１２ｂの内周面に密接してシール作用を呈する後側スカート状部，
１３ｃは後側スカート状部１３ｂの内側に形成された前開口鞘状部，
１３ｄは前開口鞘状部１３ｃの内周面前端部分に形成されて、内容物噴射操作の終了後の静止モードへの復帰時に後述のシール弁１４の後外側環凸状部１４ｂとの係合作用により当該シール弁を後方に駆動する前内側環凸状部（請求項の係合部分に相当），
１３ｅはパルス噴射静止モードや連続噴射においてシリンダ１２の小径後筒状部１２ｂの環状縦底面１２ｇに当接する環状後側端面，
をそれぞれ示している。
【００３１】
図１〜図７において、また、
１４は大径前筒状部１２ａの内部空間域に配設されて、後述の移動弁１５との間で内容物パルス噴射用の開閉動作を繰り返す弁作用部を備え、かつ、上述したようにパルス噴射における静止モード復帰時の減圧弁１３の移動により後方に駆動されて当該弁作用部を確実に開状態に設定する筒状のシール弁（請求項の第一の弁部材に相当），
１４ａはシール弁１４の後側部分であって、減圧弁１３の前開口鞘状部１３ｃの内部を移動する後開口鞘状部，
１４ｂは後開口鞘状部１４ａの後端側外周面に形成されて減圧弁１３の前内側環凸状部１３ｄと係合する後外側環凸状部，
１４ｃは後外側環凸状部１４ｂより前方外周面に形成されて、パルス噴射の作動モードのときに前開口鞘状部１３ｃの前端部分といわば間欠的に当接する縦環状段部，
１４ｄは縦環状段部１４ｃより前方外周面に形成されて、後述の移動弁１５の弁作用内周面１５ｃとの間の接離作用により内容物パルス噴射用の弁作用部Ａを構成する後広がり環テーパ状の弁作用外周面，
をそれぞれ示している。
【００３２】
図１〜図７において、また、
１５は大径前筒状部１２ａの内部空間域にシール弁１４を取り囲むかたちで配設されて、当該シール弁との間で内容物パルス噴射用の開閉動作を繰り返す弁作用部を備えたいわば内外連結二重筒状の移動弁（請求項の第二の弁部材に相当），
１５ａは外筒を構成し、大径前筒状部１２ａの内周面に密接しながら前後方向に移動する後広がりの横逆スカート状部，
１５ｂは同じく外筒を構成し、横逆スカート状部１５ａより前方に配設されて大径前筒状部１２ａの内周面に密接しながら前後方向に移動する前広がりの前外側スカート状部，
１５ｃは内筒の後端側内周面部分に形成されて、弁作用外周面１４ｄとの間の接離作用により内容物パルス噴射用の弁作用部Ａを構成する後広がり環テーパ状の弁作用内周面，
１５ｄは内筒の前端部分であって、後述の横円筒状部１６ｃの内周面に密接しながら前後方向に移動する前広がりの前内側スカート状部，
１５ｅは移動弁１５の内外連結部分の前側に前外側スカート状部１５ｂを含む態様で形成されて後述の外側コイルスプリング６の後端側が取り付けられる前向きの環凹状部，
１５ｆは横逆スカート状部１５ａの下端部分に形成されて、パルス噴射・連続噴射の静止モード，パルス噴射作動モードにおける移動弁１５の最後退状態、および連続噴射作動モードのとき小径後筒状部１２ｂの前端面部分に当接保持される縦環状平面，
をそれぞれ示している。
【００３３】
図１〜図７において、また、
１６はシリンダ１２の内部に減圧弁１３，シール弁１４および移動弁１５などを組み込んだ状態で、大径前筒状部１２ａの内周面に嵌合保持されることにより連続噴射・パルス噴射用の弁ユニットを構成し、かつ、外部空間域への内容物噴射部として作用する鞘状のカバー体，
１６ａはカバー体１６の前面（底面）中央に形成された内容物の噴射孔部，
１６ｂは噴射孔部１６ａの直上流部分に複数形成されて作動モードにおけるシール弁１４の最前進状態を保持するとともに、その隣同士の間の凹状部が当該噴射孔部への内容物通過域として作用する径方向のリブ状部，
１６ｃは噴射孔部１６ａおよびリブ状部１６ｂを取り囲む態様で形成されて、その内周面に、移動弁１５の前内側スカート状部１５ｄが密接状態で案内される横円筒状部，
１６ｄは横円筒状部１６ｃの外側周回方向に形成されて後述の外側コイルスプリング６の前端側を受ける後向きの環溝状部，
をそれぞれ示している。
【００３４】
図１〜図７において、また、
１７は後述のステム１に嵌合状態で取り付けられて当該ステムとボタン本体１１の内容物通路域とを連通させるステムジョイント，
１７ａはボタン本体１１の内環状垂下部１１ｇの内周面に密接した状態で上下動する縦逆スカート状部，
１７ｂは縦逆スカート状部１７ａの直上流側縦方向に連続形成された内容物通過用の中間円筒状部，
１７ｃは中間円筒状部１７ｂの直上流側縦方向に連続形成されたステム取付け用の下側円筒状部，
１７ｄは下側円筒状部１７ｃなどと同一中心でその上端部分から外方に延びて、パルス噴射の静止モードおよび連続噴射の各モードのとき、下面外縁部分が外環状垂下部１１ｈの下周回凸状部１１ｍに当接して保持される円板状部，
１７ｅは円板状部１７ｄの上面外縁周方向に等間隔で形成されて、連続噴射の各モードのとき、垂下片部１１ｊの下端面と当接する計三個の周回方向起立部，
１７ｆは周回方向起立部１７ｅが形成されていない周方向欠落範囲であって、パルス噴射のとき、垂下片部１１ｊの下端面が対向・通過してボタン本体１１の図１，図２間での上下動を許容する周方向等間隔の計三個の縦切欠状部，
１７ｇは前側の縦切欠状部１７ｆとは径方向反対の後側部分に形成された起立柱状部，
１７ｈは起立柱状部１７ｇの上端面であって減圧弁１３の凸状倣い部１３ａが当接する前下がりのテーパカム面，
をそれぞれ示している。
【００３５】
図８〜図１０において、
２１は内容物噴射操作用の押下げタイプで縦型のボタン本体（請求項の操作部に相当），
２１ａはボタン本体２１に形成された内容物通過用のＬ字状通路部，
２１ｂはＬ字状通路部２１ａの下流端部側に取り付けられた内容物噴射用のノズル，
２１ｃはノズル２１ｂの噴射孔部，
をそれぞれ示している。
【００３６】
図８〜図１０において、また、
２２はその上側小径部分がＬ字状通路部２１ａの上流端側に嵌合固定された円筒状の上シリンダ，
２２ａは上シリンダ２２の上側小径部分の下端域に連続形成されて、内側コイルスプリング５を受ける環状横平面，
２２ｂは環状横平面２２ａの周方向等間隔位置から内側に略同じ高さで連続形成されて、パルス噴射作動モードのときの後述のシール弁２４のいわば上動限界位置を画定する計三個の内向き凸状片部，
２２ｃは環状横平面２２ａの外側に形成されて後述の移動弁２５の内側逆スカート状部２５ｄとの密接シール作用を呈する垂下円筒状部，
２２ｄは垂下円筒状部２２ｃの直外側に形成されて外側コイルスプリング６を受ける下向きの環溝状部，
２２ｅは環溝状部２２ｄの直外側に形成されて後述の下シリンダ２３の上端側部分を嵌合保持する下向きの環凹状部，
をそれぞれ示している。
【００３７】
図８〜図１０において、また、
２３はその上端側部分が上シリンダ２２の環凹状部２２ｅに嵌合保持された円筒状の下シリンダ，
２３ａは下シリンダ２３の下側内周面から連続形成されて後述のステムジョイント２６の逆スカート状部２６ｅが密接する内側起立円筒状部，
２３ｂは内側起立円筒状部２３ａの上端面に周方向飛び飛びの態様で形成された径方向溝状部，
２３ｃは内側起立円筒状部２３ａの直外側の部分で後述の移動弁２５のスカート状部２５ａが入り込む上向きの環溝状部，
２３ｄは環溝状部２３ｃの底面と略同じ高さの下シリンダ外周面の周方向に形成されて、パルス噴射の静止モードおよび連続噴射（静止・作動モード）のとき後述のステムジョイント２６の内環凸状部２６ｇと係合し、これにより下シリンダ２３およびこれと一体のボタン本体２１の最上動位置を画定する外環凸状部，
２３ｅは内側起立円筒状部２３ａへのいわば分岐部分より下側の下シリンダ部分であって周方向等間隔に形成された計三個の円弧状垂下部，
２３ｆは円弧状垂下部２３ｅの周方向端部の下端側に形成されてエアゾール容器本体２とボタン本体２１との間の相対的な回動操作（＝パルス噴射と連続噴射の選択操作）のときに後述のリブ状部２６ｊ（ステムジョイント２６）の周方向側面と当接し、これにより利用者に回動操作完了を認識させるための垂下面，
２３ｇは隣同士の円弧状垂下部２３ｅの間に形成された計三個の切欠状部，
をそれぞれ示している。
【００３８】
図８〜図１０において、また、
２４はシール弁１４と同一形状で、後述の移動弁２５との間で内容物パルス噴射用の開閉動作を繰り返す弁作用部（ボタン側弁作用部Ａ）を備え、かつ、パルス噴射の静止モード復帰における後述の移動弁２５と一体になった上方への自らの移動時にこれよりも先に停止して当該弁作用部を確実に開状態に設定する鞘状のシール弁（請求項の第一の弁部材に相当），
２４ａはシール弁２４の下端側外周面に形成されて後述の下内側円筒状部２６ａの上端内側環凸状部２６ｂと係合する下端外側環凸状部，
２４ｂは下端外側環凸状部２４ａより上方の外周面に形成されて、パルス噴射の作動モードのときに後述の下内側円筒状部２６ａの上端部分に当接する下向きの横環状段部，
２４ｃは横環状段部２４ｂより上方外周面に形成されて、後述の移動弁２５の弁作用内周面２５ｃとの間の接離作用により内容物パルス噴射用のボタン側弁作用部Ａを構成する下広がり環テーパ状の弁作用外周面，
をそれぞれ示している。
【００３９】
図８〜図１０において、また、
２５は下シリンダ２３などの内部空間域にシール弁２４を取り囲むかたちで配設されて、当該シール弁との間で内容物パルス噴射用の開閉動作を繰り返す弁作用部（ボタン側弁作用部Ａ）を備えたいわば内外連結二重筒状の移動弁（請求項の第二の弁部材に相当），
２５ａは外筒を構成し、下シリンダ２３の内周面に密接しながら上下方向に移動する下広がりのスカート状部，
２５ｂは同じく外筒を構成し、スカート状部２５より上方に配設されて下シリンダ２３の内周面に密接しながら上下方向に移動する上広がりの外側逆スカート状部，
２５ｃは内筒の下端側内周面部分に形成されて、弁作用外周面２４ｃとの間の接離作用により内容物パルス噴射用のボタン側弁作用部Ａを構成する下広がり環テーパ状の弁作用内周面，
２５ｄは内筒の上端部分であって、垂下円筒状部２２ｃの内周面に密接しながら上下方向に移動する上広がりの内側逆スカート状部，
２５ｅは移動弁２５の内外連結部分の上側に外側逆スカート状部２５ｂを含む態様で形成されて外側コイルスプリング６の下端側が取り付けられる上向きの環凹状部，
２５ｆはスカート状部２５ａのいわば基部から内側に連続形成されて、パルス噴射・連続噴射の静止モード，パルス噴射作動モードにおける移動弁２５の最下動状態、および連続噴射作動モードそれぞれのとき、内側起立円筒状部２３ａの上端面部分に当接保持される環天井面，
をそれぞれ示している。
【００４０】
図８〜図１０において、また、
２６はステム１に嵌合状態で取り付けられて、シール弁２４に対し、減圧弁１３と同様の弁作用（＝ボタン側弁作用部Ａの開閉作用）を呈するとともに、当該ステムと当該ボタン側弁作用部とを連通させるステムジョイント，
２６ａはその内部空間域をシール弁２４の下端側部分が空間域内周面に案内されながら上下動し、かつ、ステム１の流出側空間域として作用する下内側円筒状部（請求項の連通空間域画定部に相当），
２６ｂは下内側円筒状部２６ａの内周面上端部分に形成されて、内容物パルス噴射操作の終了後の静止モードへの復帰時にシール弁２４の下端外側環凸状部２４ａとの係合作用により当該シール弁のそれ以上の上動を阻止して、（上動が阻止されない）移動弁２５の弁作用内周面２５ｃを当該シール弁の弁作用外周面２４ｃから離間させるための上端内側環凸状部（請求項の係合部分に相当），
２６ｃは下内側円筒状部２６ａの内周面上下方向に周方向等間隔で形成された計三個の縦溝状部，
２６ｄは縦溝状部２６ｃの上端部分に形成された下内側円筒状部２６ａの内外連通用の横孔部，
２６ｅは横孔部２６ｄの外側にこれを取り囲むように形成されて上下動状態の内側起立円筒状部２３ａの内周面に密接する逆スカート状部（請求項の連通空間域画定部に相当），
２６ｆは下内側円筒状部２６ａの外側に形成された下外側円筒状部，
２６ｇは下外側円筒状部２６ｆの上端側内面周方向に形成されて下シリンダ２３の外環凸状部２３ｄとの係合作用によりボタン本体２１の最上動位置を画定し、そこから当該ボタン本体が抜けたりしないようにする内環凸状部，
２６ｈは下内側円筒状部２６ａと下外側円筒状部２６ｆとの間の環状空間域下側に下シリンダ２３の円弧状垂下部２３ｅのそれぞれと対応する周方向等間隔の態様で形成され、パルス噴射における、当該下シリンダの当該ステムジョイントに対する上下動（図８，図９参照）を許容するための計三個の円弧凹状部，
２６ｊは円弧凹状部２６ｈそれぞれの間に形成されて、パルス噴射におけるボタン本体２１の押下げ操作初期（図９参照）の段階で、すなわちステム１が静止モード位置のままの段階で、下シリンダ２３の切欠状部２３ｇに入り込み、その上側終端部に当接するリブ状部，
をそれぞれ示している。
【００４１】
ここで、ボタン本体１１，２１，シリンダ１２，上シリンダ２２，下シリンダ２３，減圧弁１３，シール弁１４，２４，移動弁１５，２５，カバー体１６およびステムジョイント１７，２６は、例えばポリプロピレン，ポリエチレン，ポリアセタール，ナイロン，ポリブチレンテレフタレートなどからなるプラスチック製のものである。
【００４２】
また、ステム１，エアゾール容器本体２，ハウジング３，内側コイルスプリング５および外側コイルスプリング６は例えばプラスチック製，金属製のものである。マウンティングカップ４は例えば金属製のものである。
【００４３】
図１〜図１０のパルス・連続噴射機構におけるボタン側弁作用部Ａおよびステム側弁作用部Ｂの開閉関係は、
(31)図１のパルス噴射静止モード（横型）の場合、ボタン側弁作用部Ａは「開」，ステム側弁作用部Ｂは「閉」であり、
(32)図２の場合、ボタン側弁作用部Ａは「閉」，ステム側弁作用部Ｂは「閉」であり、
(33)図３および図４の場合、ボタン側弁作用部Ａは「開」，ステム側弁作用部Ｂは「開」であり、
(34)図５の場合、ボタン側弁作用部Ａは「閉」，ステム側弁作用部Ｂは「開」であり、
(35)図６の連続噴射静止モード（横型）の場合、図１のときと同じく、ボタン側弁作用部Ａは「開」，ステム側弁作用部Ｂは「閉」であり、
(36)図７の場合、ボタン側弁作用部Ａは「開」，ステム側弁作用部Ｂは「開」であり、
(37)図８のパルス噴射静止モード(縦型)の場合、図１，図６と同じく、ボタン側弁作用部Ａは「開」，ステム側弁作用部Ｂは「閉」であり、
(38)図９の場合、ボタン側弁作用部Ａは「閉」，ステム側弁作用部Ｂは「閉」であり、
(39)図１０の連続噴射静止モード(縦型)の場合、図１，図６，図８のときと同じく、ボタン側弁作用部Ａは「開」，ステム側弁作用部Ｂは「閉」である。
【００４４】
なお、ステム側弁作用部Ｂが「開」のときステム１は下位置に設定され、「閉」のときステム１は「上」位置に設定されている。
【００４５】
図１〜図７のシリンダ１２およびカバー体１６で画定される内部空間域には、
・シール弁１４および減圧弁１３からなる前後方向直列部材
・シール弁１４の周りに配設された移動弁１５
・シール弁１４に対する内側コイルスプリング５
・移動弁１５に対する外側コイルスプリング６
が収容され、その全体がユニット構造になっており取り扱いに便利である。
【００４６】
また、図８〜図１０の上シリンダ２２，下シリンダ２３およびステムジョイント２６で画定される内部空間域には、
・シール弁２４
・シール弁２４の周りに配設された移動弁２５
・シール弁２４に対する内側コイルスプリング５
・移動弁２５に対する外側コイルスプリング６
が収容され、その全体がユニット構造になっており取り扱いに便利である。
【００４７】
噴射内容物の流れ経路Ｄは、パルス噴射および連続噴射のいずれの場合も同じであり、概略「エアゾール容器本体２−ステム１（「開」状態のステム側弁作用部Ｂ）−中間通路空間域Ｃ−「開」状態のボタン側弁作用部Ａ−シール弁１４，２４の外周面と移動弁１５，２５の内周面との間の環状域−カバー体１６の内部空間域，ボタン本体２１のＬ字状通路部２１ａ−噴射孔部１６ａ，２１ｃ」となる。
【００４８】
なお、中間通路空間域Ｃは、
(41)図１〜図７の横型のパルス・連続噴射機構の場合、概略、
「ステム１の内部通路域−中間円筒状部１７ｂ−縦逆スカート状部１７ａ−内環状垂下部１１ｇ−縦孔部１１ｆ−当該縦孔部に続く、大径本体部１１ａ，小径本体部１１ｂおよびその内部の小径後筒状部１２ｂなどにより画定される後端側環状空間域−横孔部１２ｅ−当該横孔部に続く、小径後筒状部１２ｂ，大径前筒状部１２ａおよび横逆スカート状部１５ａにより画定される後側外環状領域−径方向溝状部１２ｊ−当該径方向溝状部に続く、小径後筒状部１２ｂ，減圧弁１３およびシール弁１４などにより画定される後側内環状領域」であり、
(42)図８〜図１０の縦型のパルス・連続噴射機構の場合、概略、
「ステム１の内部通路域−下内側円筒状部２６ａおよびシール弁２４により画定される鞘状空間域−横孔部２６ｄ−当該横孔部に続く、下内側円筒状部２６ａ，逆スカート状部２６ｅ，内側起立円筒状部２３ａおよびシール弁２４などにより画定される環状空間域」である。
【００４９】
図示のパルス・連続噴射機構の基本的特徴は、
(51)ボタン本体１１，２１の押下げ操作により周知のステム側弁作用部Ｂを「開」に設定した状態で、内容物出力側のボタン側弁作用部Ａが「図３−図４−図５−図３−・・・」などの間欠的な開閉作用を繰り返すパルス噴射において、
(52)ボタン本体１１，２１の押下げ操作解除によりステム１が静止モード位置へと上動してパルス噴射機構の全体が図１，図８の静止モードへ復帰するとき、ステム側弁作用部Ｂが閉じ、これにともない同じく閉状態に移行してしまうボタン側弁作用部Ａ（図２，図９参照）を、中間通路空間域Ｃの内圧作用で開状態に強制シフトさせる、
すなわち、
・横型のボタン本体１１を用いたパルス噴射の場合（図１参照）、
中間通路空間域Ｃの内圧作用により図２の位置の減圧弁１３がステムジョイント１７のテーパカム面１７ｈに倣いながら後上方に移動して、その前内側環凸状部１３ｄとシール弁１４の後外側環凸状部１４ｂとの係合作用に基づき当該シール弁も後退し、その結果、当該シール弁の弁作用外周面１４ｄが移動弁１５の弁作用内周面１５ｃから離間し、
・縦型のボタン本体２１を用いたパルス噴射の場合（図８参照）、
中間通路空間域Ｃの内圧作用により図９の位置のシール弁２４および移動弁２５のいわば一体物が上方に移動する途中で、当該シール弁は、その下端外側環凸状部２４ａがステムジョイント２６（下内側円筒状部２６ａ）の上端内側環凸状部２６ｂに係止された状態で停止し、その後の移動弁２５の上方向への継続移動にともない当該移動弁の弁作用内周面２５ｃが当該シール弁の弁作用外周面２４ｃから離間する、
(53)また、静止モードにおいてボタン本体１１，２１と、エアゾール容器本体２との間の相対的な周方向回動操作を行うことにより、パルス噴射および通常の連続噴射を選択できる、
ことなどである。
【００５０】
図２および図９のパルス噴射対応の押下げ操作初期段階において、周知の強い弾性力で上方向に付勢されたステム１およびこれと一体のステムジョイント１７，２６は、図１，図８のパルス噴射静止モード位置のままである。
【００５１】
すなわち、ボタン本体１１，２１およびこれと一体のシリンダ１２，上シリンダ２２，および下シリンダ２３などが、静止モード位置にとどまるステム１などに対して下方へシフトした状態である。
【００５２】
このようにボタン本体１１，２１それぞれが、図１，図８の静止モード位置のままのステム１に対して図２，図９の位置へ下方シフトできるのは、
(61)図１の横型のボタン本体１１の場合、その垂下片部１１ｊのそれぞれがステムジョイント１７の縦切欠状部１７ｆと対向し、
(62)図８の縦型のボタン本体２１の場合、これと一体化した状態の下シリンダ２３の円弧状垂下部２３ｅがステムジョイント２６の円弧凹状部２６ｈと対向し、かつ、当該下シリンダの切欠状部２３ｇが当該ステムジョイントのリブ状部２６ｊと対向し、
(63)これら対向状態に設定された一対の構成要素それぞれの一方に他方が入り込める、
からである。
【００５３】
図１および図８のパルス噴射静止モードのボタン本体１１，２１をエアゾール容器本体２に対し周方向に相対的な回動操作をすると、当該ボタン本体とステムジョイント１７，２６との周方向位置がずれて、上記(61)，(62)それぞれの対向関係がなくなる。
【００５４】
この回動操作により図６および図１０の連続噴射静止モードに移行する。連続噴射静止モードへの移行後も、パルス噴射静止モードにおけるボタン側弁作用部Ａの「開」状態は維持される。
【００５５】
図６および図１０の連続噴射静止モードのとき、
(71)ボタン本体１１は、その垂下片部１１ｊがステムジョイント１７の周回方向起立部１７ｅと略対向当接し、
(72)ボタン本体２１は、これと一体化した状態の下シリンダ２３の円弧状垂下部２３ｅがステムジョイント２６のリブ状部２６ｊの上端面と略対向当接する。
【００５６】
これら(71)，(72)の略対向当接した状態が設定されることにより、図６および図１０のボタン本体１１，２１とステム１とは上下方向に一体化される。
【００５７】
すなわちボタン本体１１，２１が押下げ操作されるとすぐにステム１が下方向に連動する。パルス噴射のときのように、ステム１が静止モード位置のままでボタン本体１１，２１が下動するといったことは生じない。
【００５８】
この押下げ操作時の連動により、通常のエアゾール噴射機構と同様に、ステム側弁作用部Ｂがそれまでの「閉」状態から「開」状態へとシフトしてエアゾール容器本体２の内容物が流れ経路Ｄのルートで噴射孔部１６ａ，２１ｃから外部空間域に連続噴射される。
【００５９】
このときの連続噴射内容物の流路（流れ経路Ｄ）は図３〜図５のパルス噴射における内容物流路と同じである。
【００６０】
図１は、横型のボタン本体１１を用いた場合のパルス噴射静止モードを示しており、
(81)ステム１は、周知のコイルスプリング(図示省略)の弾性作用などによって上動復帰位置に保持され、
(82)ボタン本体１１は、前回の噴射操作解除にともなう上動位置で保持され、すなわちその内環状垂下部１１ｇの下端側内周面にステムジョイント１７の縦逆スカート状部１７ａが密接し、かつ、その下周回凸状部１１ｍが当該ステムジョイントの周回方向起立部１７ｅの下端縁部分に当接し、
(83)減圧弁１３は、前回のボタン本体１１の押下げ操作解除時に中間通路空間域Ｃの内圧作用で後方にシフトする際、その前内側環凸状部１３ｄとシール弁１４の後外側環凸状部１４ｂとの係合作用により当該シール弁を後退させて、ボタン側弁作用部Ａを離間状態に強制設定し、
(84)この後方シフトにより、減圧弁１３の環状後側端面１３ｅがシリンダ１２の小径後筒状部１２ｂの環状縦底面１２ｇに当接し、
(85)移動弁１５は、外側コイルスプリング６と小径後筒状部１２ｂの環状前端面とのいわば挟持作用により、その弁作用内周面１５ｃがシール弁１４の弁作用外周面１４ｄから離間する形で保持され、
(86)シール弁１４とカバー体１６との間に配設された内側コイルスプリング５は、その略自然長状態であり、
(87)ボタン本体１１と一体のシリンダ１２に配設された減圧弁１３の凸状倣い部１３ａは、前回のボタン本体１１の押下げ操作解除後のテーパカム面１７ｈに対する上動位置に当接保持されている。
【００６１】
図８は、縦型のボタン本体２１を用いた場合のパルス噴射静止モードを示している。
ここで、上シリンダ２２および下シリンダ２３の内部に配設された内側コイルスプリング５，外側コイルスプリング６，シール弁２４および移動弁２５の関連構成は、図１の場合と略同じである。
【００６２】
ただ、図１の減圧弁１３に相当するのはステムジョイント２６の上端内側環凸状部２６ｂおよび逆スカート状部２６ｅなどである。
【００６３】
これは、ボタン本体２１と減圧弁との移動方向が同じであり、ボタン本体１１と減圧弁１３との移動方向が異なる図１〜図７のパルス・連続噴射機構のようにいわば方向変換用のテーパカム面１７ｈを用いる、必要がないからである。
【００６４】
なお、ボタン本体１１，２１がそれぞれ図１，図８のパルス噴射静止モードの位置に安定保持されるのは、図１においては、内環状垂下部１１ｇと縦逆スカート状部１７ａとの摩擦係合および小径後筒状部１２ｂと後側スカート状部１３ｂとの摩擦係合によるためであり、図８においては、内側起立円筒状部２３ａと逆スカート状部２６ｅとの摩擦係合によるためである。
【００６５】
ボタン本体１１を用いた横型パルス噴射（図１〜図５）と、ボタン本体２１を用いた縦型パルス噴射（図８，図９）との噴射機構上の実質的な違いは、それぞれのボタン本体に対する押下げ操作を利用者が解除した時のボタン側弁作用部Ａの開状態への具体的な移行動作である。
【００６６】
すなわち、ボタン本体１１，２１のパルス噴射押下げ操作が解除されると、いずれの噴射機構の場合もステム１が周知のコイルスプリング(図示省略)の弾性作用で上動して、先ず図２，図９の押下げ操作初期段階を経る。このときステム側弁作用部Ｂは閉状態に移行する。
【００６７】
このステム側弁作用部Ｂの閉状態シフトにともない、ボタン側弁作用部Ａも、内側コイルスプリング５および外側コイルスプリング６の弾性作用で先ず閉状態に移行する。
【００６８】
そして、このボタン側弁作用部Ａが閉じた状態の中間通路空間域Ｃの内圧を受けて、図２の移動可能な減圧弁１３，シール弁１４および移動弁１５が、また、図８の移動可能なシール弁２４および移動弁２５がそれぞれ変位しようとする。
【００６９】
この変位の態様が、ボタン本体１１の横型パルス噴射機構とボタン本体２１の縦型パルス噴射機構とで異なっている。
【００７０】
すなわち、
(91)図２のボタン本体１１の横型パルス噴射機構の場合、
〔減圧弁１３＋シール弁１４〕は、その移動可能方向である前後方向への受圧面積において減圧弁１３の方が大きく、また内側コイルスプリング５の弾性力が小さいため、ボタン本体１１と固定状態のシリンダ１２に対して、当該減圧弁が、その前内側環凸状部１３ｄと当該シール弁の後外側環凸状部１４ｂとの係合状態で後方向へと移動し、これにより当該シール弁の弁作用外周面１４ｄが移動弁１５の弁作用内周面１５ｃから離間した図１の静止モードへ復帰し、
(92)図８のボタン本体２１の横型パルス噴射機構の場合、
〔シール弁２４＋移動弁２５〕は、いわば一体となって中間通路空間域Ｃの内圧を受け、ステム１に固定状態のステムジョイント２６に対して上方向へと移動し、かつ、その移動途中で当該シール弁はその下端外側環凸状部２４ａが当該ステムジョイントの上端内側環凸状部２６ｂに係合して停止し、その後は当該移動弁のみが上動し、これにより当該移動弁の弁作用内周面２５ｃが当該シール弁の弁作用外周面２４ｃから離間した図８の静止モードへ復帰する。
【００７１】
このようにパルス噴射作動モードにおけるボタン本体１１，２１の押下げ操作が解除されるとボタン側弁作用部Ａが確実に開状態に設定される。
【００７２】
このボタン側弁作用部Ａの確実な開状態設定により、パルス噴射終了後の中間通路空間域Ｃの内圧は大気圧程度まで減少し、パルス噴射押下げ操作の解除直後に当該中間通路空間域に残留した内容物も外部空間域に流出する。
【００７３】
図２および図９はパルス噴射押下げ操作の初期段階であって、上述したように、強い弾性力で上方に付勢されるステム１およびこれに取り付けられたステムジョイント１７，２６は、図１および図８の静止モード位置のままである。
【００７４】
図２の場合、ボタン本体１１の内部に組み込まれた減圧弁１３は、その凸状倣い部１３ａがステムジョイント１７のテーパカム面１７ｈおよびシール弁１４の後側外周面などに案内されながら図１の静止モード位置よりも前方に移動している。
【００７５】
この減圧弁１３の前方移動にともない、当該減圧弁の前開口鞘状部１３ｃの前端部分がシール弁１４の縦環状段部１４ｃに当接して当該シール弁を前方に駆動し、これにより当該シール弁の弁作用外周面１４ｄが移動弁１５の弁作用内周面１５ｃと密接する。移動弁１５の前後方向位置は図１のままである。
【００７６】
図２のボタン本体１１は、その周方向段部１１ｋが、ステムジョイント１７の周回方向起立部１７ｅの上端面に当接しており、以後の連続したボタン本体押下げ操作では当該ステムジョイントおよびこれと一体のステム１も下動する。
【００７７】
図８の場合、パルス噴射押下げ操作により、先ずボタン本体２１およびこれと一体の下シリンダ２３に対して、シール弁２４は、その横環状段部２４ｂがステムジョイント２６の下内側円筒状部２６ａの環状上端面に当接し、かつ、その弁作用外周面２４ｃが移動弁２５の弁作用内周面２５ｃに密接した図９の状態に移行する。
【００７８】
この移行後の下シリンダ２３に対する移動弁２５の上下方向位置は図８のままである。換言すれば、上シリンダ２２および下シリンダ２３に収容保持された外側コイルスプリング６および移動弁２５は、なんらシリンダ内部で変位，移動することなく、いわばこの上下シリンダとの一体物として図８から図９の位置へと移動する。
【００７９】
図９の下シリンダ２３は、その切欠状部２３ｇの上側終端部が、ステムジョイント２６のリブ状部２６ｊの上端面に略当接しており、以後の連続したボタン本体押下げ操作では当該ステムジョイントおよびこれと一体のステム１も下動する。
【００８０】
このようにステム１と上下方向に一体化したボタン本体１１，２１がそれぞれの押下げ操作継続により、図２，図９の位置から下方へ移動する、すなわち当該ステムが下動すると周知のようにステム側弁作用部Ｂが「閉」状態から「開」状態にシフトする。
【００８１】
このステム側弁作用部Ｂの「開」状態シフトにより、エアゾール容器本体２の内容物が中間通路空間域Ｃに流入して当該空間域の内圧が大きくなる。
【００８２】
パルス噴射機構は、この中間通路空間域Ｃへの内容物流入に基づくボタン側弁作用部Ａの連続した開閉作用により噴射状態と噴射停止状態とが繰り返されるパルス噴射動作をおこなう。
【００８３】
パルス噴射動作は、
(101)先ず、中間通路空間域Ｃの内圧増加にともない、図２におけるステム下動位置のシール弁１４および移動弁１５、ならびに図９におけるステム下動位置のシール弁２４および移動弁２５のそれぞれ一対の弁部材が、ボタン側弁作用部Ａの「閉」状態のまま内側コイルスプリング５および外側コイルスプリング６の弾性力に抗しながら前方または上方に移動し、
(102)この移動途中において、シール弁１４，２４の方がそれぞれカバー体１６のリブ状部１６ｂおよび上シリンダ２２の内向き凸状片部２２ｂに当たって停止し、この停止後は移動弁１５，２５のみが動くことによりボタン側弁作用部Ａ（弁作用外周面１４ｄ＋弁作用内周面１５ｃ：弁作用外周面２４ｃ＋弁作用内周面２５ｃ）が開き、その結果、エアゾール容器本体２などの内容物が流れ経路Ｄの形で外部空間域に噴射され（図３参照）、
(103)この内容物の外部空間域への噴射にともないボタン側弁作用部Ａの直下流側（中間通路空間域Ｃの一部）の前方への内圧が減少して、内側コイルスプリング５および外側コイルスプリング６の後方への弾性力が勝る結果、シール弁１４，２４および移動弁１５，２５は当該ボタン側弁作用部が「開」で内容物噴射状態のまま後退し(図４参照)、
(104)このパルス噴射状態での後退動作は、図２の場合と同様に、
シール弁１４，２４の縦環状段部１４ｃおよび横環状段部２４ｂがそれぞれ前開口鞘状部１３ｃの前端部分および下内側円筒状部２６ａの上端部分に当接保持され、
かつ、移動弁１５，２５の縦環状平面１５ｆおよび環天井面２５ｆがそれぞれ小径後筒状部１２ｂの前端部分および内側起立円筒状部２３ａの上端部分に当接保持されて、ボタン側弁作用部Ａが閉じた状態で停止し(図５参照)、
(105)この停止後、上記(101)の動作へと復帰する、
といったことを繰り返している。
【００８４】
本発明が以上の実施形態に限定されないことは勿論であり例えば、
(111)図１および図８のパルス噴射静止モードにおけるボタン本体１１，２１の位置、すなわちステムジョイント１７，２６から上動した位置を積極的に保持するためのパルス噴射構造にする、
(112)内容物噴射操作部として、図示の押下げタイプの操作ボタンの代わりにトリガレバータイプの操作部材を用いる、
(113)上述の回動操作によりパルス噴射静止モードと連続噴射静止モードとを選択する際のボタン本体１１，２１などの回動位置を示す目印やクリック感生成部などを設ける、
ようにしてもよい。
【００８５】
本発明が適用されるエアゾール式製品としては、洗浄剤，清掃剤，冷却剤，筋肉消炎剤，育毛剤，染毛剤，ヘアスタイリング剤，ヘアトリートメント剤，日焼け止め，化粧水，クレンジング剤，制汗剤，化粧品，シェービングフォーム，食品，液滴状のもの（ビタミンなど），医薬品，医薬部外品，園芸用剤，殺虫剤，害虫忌避剤，動物忌避剤，消臭剤などの各種用途のものがある。
【００８６】
容器本体に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００８７】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，塩化マグネシウム，シリカ，酸化亜鉛，酸化チタン，ゼオライト，ナイロンパウダー，硫酸バリウム，セルロース，これらの混合物などを用いる。
【００８８】
油成分としては、ジメチルポリシロキサンなどのシリコーン油，ミリスチン酸イソプロピルなどのエステル油，パーム油，ユーカリ油，ツバキ油，オリーブ油，ホホバ油などの油脂，流動パラフィンなどの炭化水素油，ミリスチン酸，パルミチン酸，ステアリン酸，リノール酸，リノレン酸などの脂肪酸などを用いる。
【００８９】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００９０】
界面活性剤としては、ラウリル硫酸ナトリウムなどのアニオン性界面活性剤，ポリオキシエチレンアルキルエーテルやポリグリセリン脂肪酸エステルなどの非イオン性界面活性剤，ラウリルジメチルアミノ酢酸ベタインなどの両性界面活性剤，塩化アルキルトリメチルアンモニウムなどのカチオン性界面活性剤などを用いる。
【００９１】
高分子化合物としては、ヒドロキシエチルセルロース，メチルセルロース，ゼラチン，デンプン，カゼイン，キサンタンガム，カルボキシビニルポリマーなどを用いる。
【００９２】
各用途に応じた有効成分としては、パラフェニレンジアミン，アミノフェノールなどの染料，過酸化水素水などの酸化剤，アクリル系樹脂やワックスなどのセット剤，パラメトキシケイ皮酸２−エチルヘキシルなどの紫外線吸収剤，レチノールやｄｌ−α−トコフェロールなどのビタミン，ヒアルロン酸などの保湿剤，サリチル酸メチル，インドメタシンなどの消炎鎮痛剤，安息香酸ナトリウム，クレゾールなどの除菌剤，ピレスロイド，ジエチルトルアミドなどの害虫忌避剤，パラフェノールスルホン酸亜鉛などの制汗剤，カンフル，メントールなどの清涼剤，エフェドリン，アドレナリンなどの抗喘息薬，スクラロース，アスパルテームなどの甘味料，エポキシ樹脂，ウレタンなどの接着剤や塗料，パラフェニレンジアミン，アミノフェノールなどの染料，過酸化水素水などの酸化剤，リン酸二水素アンモニウム，炭酸水素ナトリウム・カリウムなどの消火剤などを用いる。
【００９３】
さらに、上記内容物以外の、懸濁剤，乳化剤，酸化防止剤，金属イオン封鎖剤なども用いることができる。
【００９４】
内容物放出射用の噴射剤としては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００９５】
（図１〜図１０）
Ａ：パルス噴射用のボタン側弁作用部
Ｂ：ステム側弁作用部
Ｃ：ステム側弁作用部からボタン側弁作用部までの中間通路空間域
Ｄ：噴射内容物の流れ経路
Ｅ：ボタン側弁作用部の開状態設定用のシール弁強制シフト方向（図１参照）
Ｆ：ボタン側弁作用部の開状態設定用の移動弁強制シフト方向（図８参照）
【００９６】
（図１〜図１０）
１：ステム
２：エアゾール容器本体
３：ハウジング
４：マウンティングカップ
５：内側コイルスプリング
６：外側コイルスプリング
【００９７】
（図１〜図７）
１１：横型のボタン本体
１１ａ：前開口・後底面の大径本体部
１１ｂ：後底面部分の小径本体部
１１ｃ：前周回凹状部
１１ｄ：後周回凹状部
１１ｅ：後貫通部
１１ｆ：縦孔部
１１ｇ：内環状垂下部
１１ｈ：外環状垂下部
１１ｊ：垂下片部
１１ｋ：下向きの周方向段部
１１ｍ：下周回凸状部
１１ｎ：後内部空間域
１２：シリンダ
１２ａ：大径前筒状部
１２ｂ：小径後筒状部
１２ｃ：環状段部
１２ｄ：前周回凸状部
１２ｅ：横孔部
１２ｆ：後周回凸状部
１２ｇ：環状縦底面
１２ｈ：前貫通部
１２ｊ：径方向溝状部
１３：減圧弁
１３ａ：凸状倣い部
１３ｂ：後側スカート状部
１３ｃ：前開口鞘状部
１３ｄ：前内側環凸状部
１３ｅ：環状後側端面
１４：シール弁
１４ａ：後開口鞘状部
１４ｂ：後外側環凸状部
１４ｃ：縦環状段部
１４ｄ：弁作用外周面
１５：移動弁
１５ａ：横逆スカート状部
１５ｂ：前外側スカート状部
１５ｃ：弁作用内周面
１５ｄ：前内側スカート状部
１５ｅ：前向きの環凹状部
１５ｆ：縦環状平面
１６：カバー体
１６ａ：噴射孔部
１６ｂ：リブ状部
１６ｃ：横円筒状部
１６ｄ：後向きの環溝状部
１７：ステムジョイント
１７ａ：縦逆スカート状部
１７ｂ：中間円筒状部
１７ｃ：下側円筒状部
１７ｄ：円板状部
１７ｅ：周回方向起立部
１７ｆ：縦切欠状部
１７ｇ：起立柱状部
１７ｈ：テーパカム面
【００９８】
（図８〜図１０）
２１：縦型のボタン本体
２１ａ：Ｌ字状通路部
２１ｂ：ノズル
２１ｃ：噴射孔部
２２：上シリンダ
２２ａ：環状横平面
２２ｂ：内向き凸状片部
２２ｃ：垂下円筒状部
２２ｄ：下向きの環溝状部
２２ｅ：下向きの環凹状部
２３：下シリンダ
２３ａ：内側起立円筒状部
２３ｂ：径方向溝状部
２３ｃ：上向きの環溝状部
２３ｄ：外環凸状部
２３ｅ：円弧状垂下部
２３ｆ：垂下面
２３ｇ：切欠状部
２４：シール弁
２４ａ：下端外側環凸状部
２４ｂ：下向きの横環状段部
２４ｃ：弁作用外周面
２５：移動弁
２５ａ：スカート状部
２５ｂ：外側逆スカート状部
２５ｃ：弁作用内周面
２５ｄ：内側逆スカート状部
２５ｅ：上向きの環凹状部
２５ｆ：環天井面
２６：ステムジョイント
２６ａ：下内側円筒状部
２６ｂ：上端内側環凸状部
２６ｃ：縦溝状部
２６ｄ：横孔部
２６ｅ：逆スカート状部
２６ｆ：下外側円筒状部
２６ｇ：内環凸状部
２６ｈ：円弧凹状部
２６ｊ：リブ状部
【図１】
0006562727.tif 000002
【図２】
0006562727.tif 000003
【図３】
0006562727.tif 000004
【図４】
0006562727.tif 000005
【図５】
0006562727.tif 000006
【図６】
0006562727.tif 000007
【図７】
0006562727.tif 000008
【図８】
0006562727.tif 000009
【図９】
0006562727.tif 000010
【図１０】
0006562727.tif 000011